(57)【要約】【課題】全体がコンパクトでありながら吐水の切替表示機能が確実に発揮される水栓器具を提供する。【解決手段】内部に複数の流路を有し、外壁に窓部を有する水栓本体Ｊ１と、水栓本体Ｊ１に設けられ、第１位置と第２位置との間で変位して複数の流路を切り替え操作する操作体１と、所定の角度範囲で回転可能に水栓本体Ｊ１に支持される軸部２４を有し、複数の流路の切替状態に応じた表示を窓部に露出する表示部４を有する表示体Ｓ、とを備え、表示体Ｓが、操作体１が第１位置から第２位置に操作される際に、操作者が操作体１に加えた操作力が操作体１の駆動部を介して伝えられる第１作用部２１と、操作体１が第１位置に戻される際に、水栓本体Ｊ１に設けられた付勢部材３からの戻し力が伝えられる第２作用部２２と、を備えている。【選択図】図３
2018172871.tif 000002
【特許請求の範囲】
【請求項１】
内部に複数の流路を有し、外壁に窓部を有する水栓本体と、
前記水栓本体に設けられ、第１位置と第２位置との間で変位して前記複数の流路を切り替え操作する操作体と、
所定の角度範囲で回転可能に前記水栓本体に支持される軸部を有し、前記複数の流路の切替状態に応じた表示を前記窓部に露出する表示部を有する表示体、とを備え、
前記表示体が、
前記操作体が前記第１位置から前記第２位置に操作される際に、操作者が前記操作体に加えた操作力が前記操作体の駆動部を介して伝えられる第１作用部と、
前記操作体が前記第１位置に戻される際に、前記水栓本体に設けられた付勢部材からの戻し力が伝えられる第２作用部と、を備えている水栓器具。
【請求項２】
前記表示部を正面視する状態で、前記軸部および前記第１作用部、前記第２作用部が前記表示部の外側に設けられている請求項１に記載の水栓器具。
【請求項３】
前記駆動部が長尺状の腕部であり、前記第１作用部を押圧する際に前記腕部に当接して、前記腕部が前記第１作用部から離れる側に屈曲するのを防止する規制部を前記水栓本体に設けてある請求項１または２に記載の水栓器具。
【請求項４】
前記駆動部が前記第１作用部を押し込み、前記表示部が所定の姿勢に変更されたとき、前記表示部の戻り動作を阻止するよう、前記表示体に設けられた第３作用部と、
前記操作体に設けられて前記第３作用部に当接する位置決め部と、を備えている請求項１から３の何れか一項に記載の水栓器具。
【請求項５】
前記位置決め部と前記第３作用部とが当接した状態で、前記駆動部と前記第１作用部とが離間するように構成してある請求項４に記載の水栓器具。
【請求項６】
前記表示体において、前記軸部の軸心および前記第１作用部どうしの距離に対して、前記軸部の軸心および前記第３作用部どうしの距離の方が長く形成されている請求項４または５に記載の水栓器具。
【請求項７】
前記位置決め部のうち前記第３作用部に当接する位置決定面が、前記操作体が前記第１位置から前記第２位置に操作される際の移動軌跡と平行に形成してある請求項４から６の何れか一項に記載の水栓器具。
【発明の詳細な説明】
【技術分野】
【０００１】
本発明は、吐出する流水の種類を例えば原水と浄水など複数に切り替える水栓器具に関する。
【背景技術】
【０００２】
このような水栓器具としては、例えば特開２００４−０８２０３１号公報（特許文献1）に示す技術がある。
【０００３】
この水栓器具は、吐出する流水の種類を浄水と原水とに切り替えることができ、切り替えた吐水の種類をカバーに設けた窓部に表示する機構を有する。水栓器具のカバーのうち先端近傍の位置に窓部が形成され、４分の１の円柱体で構成された表示体の曲面上に表示された浄水および原水の表示がこの窓部から交互に表示される。
【０００４】
表示体は、扇形の側面から双方向に軸部が形成され、この軸部が水栓本体に形成された支持部に回転可能に支持されている。軸部の片方には捩じりばねが装着され、水栓本体に反力を取りつつ、表示体が水栓器具の先端側に転ぶように表示体を付勢している。
【０００５】
この表示体は、吐水の切り替えを行う押しボタンによって駆動される。押しボタンは、水栓本体に対してプッシュ・プッシュ式に作動するように備えられている。水栓本体には吐水を切り替える弁機構が備えられており、この弁機構に、公知のプッシュ・プッシュ式の切替機構が併設されている。押しボタンは、このリターン機構の押し部材と連携しており、押しボタンが押込位置から突出位置に復帰する際にはこのリターン機構のばね付勢力が利用される。
【０００６】
押しボタンの天井部には傾斜状のカム部が設けられており、一方の表示体の下部には当該カム部が当接する作用部が設けられている。押しボタンが突出位置にあるときには、この傾斜部が表示体の作用部を押し上げ、窓部には「原水」が表示される。押しボタンが押し込まれるとカム部が押圧方向奥部に移動し、作用部の押し上げが解除される。これにより、表示体は捩じりばねの付勢力によって、それまでカム部の存在していた側に転ぶように回転し、表示が「浄水」に切り替わる。
【０００７】
押しボタンが突出位置に戻す際には押しボタンを僅かに押し込む。これにより、プッシュ・プッシュ機構が働き、ばねの付勢力によって押しボタンが押し戻される。その結果、押しボタンのカム部が再度表示体の作用部を押し上げて表示が「原水」に戻される。
【０００８】
このように、従来の水栓器具では、表示体が何れの側に切り替わる際にも捩じりばねあるいは切替機構のばねの付勢力が利用されていた。
【０００９】
また、当該従来技術では、表示体を回転させるためのカム部と作用部が、押しボタンと表示体との間に設けられている。
【００１０】
特許文献１の記載によれば、これらの構成の結果、表示部が往復動する押しボタンと離れた位置に設けることができ、しかも構成が簡単で、必要となる部品も、表示体・ばね部材・表示体支持部材・表示窓等だけで済み、小型化で安価な表示装置が得られるとされている。
【先行技術文献】
【特許文献】
【００１１】
【特許文献１】特開２００４−０８２０３１号公報
【発明の概要】
【発明が解決しようとする課題】
【００１２】
このように、上記従来の技術では、押しボタンを何れの方向に操作する場合にも表示体の動作にはばね力が利用される。よって、仮に表示体の支持部に水垢などの汚れが蓄積すると表示体の動作が円滑に保たれないうえ、表示部の静止位置が不適切になる恐れがあった。
【００１３】
また、上記従来技術の水栓器具では表示体の裏面側に回転機構があるため、当該機構を配置するには配置空間にある程度の高さが必要となる。よって、表示体の視認性を向上させようとしても、水栓器具のヘッド部には各種機構を配置する空間に制限があって表示体の拡大化には限界がある。
【００１４】
このように、表示体の動作の信頼性の問題、および、表示体のサイズの問題などから、表示体の視認機能を高めようとしても表示体の構造等には未だ改善の余地があり、従来から、全体がコンパクトでありながら、吐水の切替表示機能が確実に発揮される水栓器具の提供が望まれている。
【課題を解決するための手段】
【００１５】
（特徴構成）
本発明に係る水栓器具の特徴構成は、
内部に複数の流路を有し、外壁に窓部を有する水栓本体と、
前記水栓本体に設けられ、第１位置と第２位置との間で変位して前記複数の流路を切り替え操作する操作体と、
所定の角度範囲で回転可能に前記水栓本体に支持される軸部を有し、前記複数の流路の切替状態に応じた表示を前記窓部に露出する表示部を有する表示体、とを備え、
前記表示体が、
前記操作体が前記第１位置から前記第２位置に操作される際に、操作者が前記操作体に加えた操作力が前記操作体の駆動部を介して伝えられる第１作用部と、
前記操作体が前記第１位置に戻される際に、前記水栓本体に設けられた付勢部材からの戻し力が伝えられる第２作用部と、を備えた点にある。
【００１６】
（効果）
表示体は操作体の操作によって表示を変化させるが、本構成であれば、特に操作体を第１位置から第２位置に操作する際に、操作体に加えた操作力が駆動部を介して表示体の第１作用部に直に伝えられる。よって、表示体を確実に動作させることができる。例えば、表示体の軸部に水垢等の汚れが付着して表示体の動作が円滑でない場合でも、表示部の切替動作が確実なものとなる。
【００１７】
また、操作体の駆動部が表示体の第１作用部を直に押すことで表示部の切替動作が機敏になり、使用感に優れた水栓器具を得ることができる。
【００１８】
（特徴構成）
本発明に係る水栓器具としては、前記表示部を正面視する状態で、前記軸部および前記第１作用部、前記第２作用部が前記表示部の外側に設けられていると好都合である。
【００１９】
（効果）
表示部の表示を窓部に順次露出させるために、表示部が移動する空間を水栓本体の内部に設ける必要がある。水栓本体の大きさには制限があるものの、表示部は視認性を高めるためにできるだけ大きい方が良い。よって、表示部以外の軸部や第１作用部等の機構部を、表示部の正面視において表示部とは異なる領域に設けることで、構造設計の自由度が広がる。
【００２０】
また、水栓器具の使用に際しては、窓部から水が浸入する場合があるが、軸部や第１作用部・第２作用部を表示部の外側に設けることで、浸入水が軸部や第１作用部等に到達し難くなる。よって、表示部の切替機能が長期に亘って維持される。
【００２１】
（特徴構成）
本発明に係る水栓器具にあっては、前記駆動部を長尺状の腕部とし、前記第１作用部を押圧する際に前記腕部に当接して、前記腕部が前記第１作用部から離れる側に屈曲するのを防止する規制部を前記水栓本体に設けておくとよい。
【００２２】
（効果）
水栓器具の内部空間には制限があり、内部に設けられる各機構は必要強度などを考慮してコンパクトに設計される。本構成では、表示体の第１作用部を押圧する部位として操作体に長尺状の腕部を形成している。この腕部が第１作用部を押し込む際に、表示体は軸部を中心に回動する。そのため、腕部と第１作用部との相対姿勢が順次変化し、第１作用部の当接面が傾斜した状態になることがある。この場合、腕部の先端が当接面に乗り上がり、腕部が屈曲し易くなる。これを防止するために本構成では、水栓本体に規制部を設け、腕部の押し込み方向を規制している。この結果、腕部を細く構成して機構部をコンパクトにしながら表示部の切替機能が安定して発揮される水栓器具を得ることができる。
【００２３】
（特徴構成）
本発明に係る水栓器具にあっては、前記駆動部が前記第１作用部を押し込み、前記表示部が所定の姿勢に変更されたとき、前記表示部の戻り動作を阻止するよう前記表示体に設けられた第３作用部と、前記操作体に設けられて前記第３作用部に当接する位置決め部と、を備えていると好適である。
【００２４】
（効果）
駆動部および第１作用部は表示部を回転駆動し、本構成の位置決め部および第３作用部は表示部の戻り動作を阻止する。このうち駆動に係る機構は操作体の動きを極力小さくしながら表示部を大きく回転動作させるものであり、位置決めに係る機構は表示部の戻りを確実に阻止するものである。このように各機構部の目的が異なるため、例えば軸部と第１作用部との距離については小さく設定して駆動部のストロークに対して表示部の回転角度を大きく取るようにする。ただし、駆動部と第１作用部との間に作用する押圧力は大きくなる。
【００２５】
一方、表示部の戻りを確実に阻止するには、例えば軸部と第３作用部との距離を大きくして位置決め部と第３作用部との当接力を小さくするとよい。さらに、軸部から第３作用部までの回転半径が大きくなれば、位置決め部あるいは第３作用部の何れかにある程度の摩耗が生じても表示部の固定姿勢はほとんど変化しない。よって、窓部に対する表示部の位置が常に一定となり表示機能が確実に発揮される。
【００２６】
このように、表示部の駆動に係る機構と位置決めに係る機構とを別に設けることで、表示部の押し込み機能と位置決め機能とを確実に発揮させることができる。
【００２７】
（特徴構成）
本発明に係る水栓器具にあっては、前記位置決め部と前記第３作用部とが当接した状態で、前記駆動部と前記第１作用部とが離間するように構成することができる。
【００２８】
（効果）
駆動に係る機構と位置決めに係る機構とを別に設けることで夫々の機能をより確実に発揮させることができる。例えば、位置決め部と第３作用部との当接力を小さくすることで、部材どうしの摩耗が減少し、表示部の表示姿勢が長期に亘って安定したものとなる。ただし本構成では、さらに、位置決め部が機能している状態では駆動部が第１作用部から離間して機能しないものとし、駆動部が表示体の姿勢に干渉することを防止している。このようにすることで表示部の位置固定がさらに正確なものとなる。
【００２９】
（特徴構成）
本発明に係る水栓器具は、前記表示体において、前記軸部の軸心および前記第１作用部どうしの距離に対して前記軸部の軸心および前記第３作用部どうしの距離を長く形成しておくのが好ましい。
【００３０】
（効果）
このように、軸部の軸心および第１作用部どうしの距離を小さくすることで、操作体のストロークに対して表示体の回転移動長さを大きく確保することができ、表示部の大きな表示体の駆動が可能になる。
【００３１】
一方、回転アームの短い機構にすることで駆動部と第１作用部との当接力が高まり、部材の摩耗が早まって表示部の表示位置が不安定になる恐れがある。
【００３２】
そこで、本構成では、第３作用部と軸部の軸心との距離を第１作用部と軸部の軸心との距離に比べて大きく設定している。これにより、表示体のモーメントアームが長くなって位置決め部との当接力が低下する。これにより当該部位の摩耗等が少なくなって表示体の位置固定機能が安定化する。
【００３３】
（特徴構成）
本発明に係る水栓器具にあっては、前記位置決め部のうち前記第３作用部に当接する位置決定面を、前記操作体が前記第１位置から前記第２位置に操作される際の移動軌跡と平行に形成しておくと好都合である。
【００３４】
（効果）
第１位置と第２位置との間を往復移動する操作体の構成としては、例えば、軸部を中心に回転する構成のものや、所定の駆動レールに沿って押し引きする構成のものなど各種のものが想定される。これらのうち特定構成のものでは、駆動部が操作方向にガタつくものや、プッシュ・プッシュ式のリターン機構のように操作体の動作を反転させる際に少しだけ逆方向に操作されるものもある。
そこで、本構成では位置決め部の位置決定面を操作体の移動軌跡と平行に設けている。これにより、操作体がこのように微動作しても表示部の位置が変化しなくなって、表示部の表示機能が安定して高品質な水栓器具を得ることができる。
【図面の簡単な説明】
【００３５】
【図１】水栓器具の外観を示す斜視図
【図２】水栓器具の吐水切替表示機構を示す斜視図
【図３】吐水切替表示機構を示す分解斜視図
【図４】表示体の第１作用部と第３作用部の動作態様を示す説明図
【図５】第１カバーに対する表示部の配置状態を示す説明図
【図６】第２実施形態に係る表示体を示す説明図
【発明を実施するための形態】
【００３６】
〔概要〕
本発明の水栓器具では、流体の流路を有する水栓本体Ｊ１の先端に設けた吐水の表示切替機構ＨＫに特徴がある。表示切替機構ＨＫは、原水や浄水を切り替えて吐出する際に、水栓器具を構成する水栓本体Ｊ１の外壁に設けられた窓部Ｗに夫々の表示を択一的に露出させるものである。以下、本発明に係る水栓器具の実施形態につき図面を参照しながら説明する。
【００３７】
〔全体構成〕
本実施形態に係る水栓器具の外観を図１に示す。水栓本体Ｊ１の先端部にはカバーＣが設けられ、水栓本体Ｊ１の外壁が構成される。カバーＣは水栓本体Ｊ１の殆どの部位を覆い、水栓器具の全体外観がシンプルに仕上げられている。これにより、カバーＣの繋ぎ目などに汚れが溜まるのを防止している。具体的には、上方部を第１カバーＣ１が覆い、下方部を第２カバーＣ２が覆っている。第１カバーＣ１と第２カバーＣ２との繋ぎ目は先端部においてはかなり高い位置にあり、水が掛かるのを極力防止している。
【００３８】
第１カバーＣ１と第２カバーＣ２との繋ぎ目には、吐水を例えば浄水と原水とに切り替える操作体１が設けてある。この操作体１は、所謂、プッシュ・プッシュ方式の押ボタンであり、例えば第１位置である突出位置と第２位置である押込位置とに亘って変位して複数の流路を切り替え操作する。この操作体１は、図３に示す如く、水栓本体Ｊ１に設けられた公知の吐水切替機構ＴＫに連結されている。
【００３９】
第１カバーＣ１の上面には、操作体１によって切り替えられた吐水の種類を示す窓部Ｗが形成されている。窓部Ｗからは、「原水」や「浄水」等の吐水状態を示す表示面４１が露出する。
【００４０】
一方、第２カバーＣ２の下方には円形の開口が設けられており、吐水形状をシャワー形状やストレート形状に切り替えるスクリーン部材７が嵌め込まれている。スクリーン部材７には回転操作用のレバー６が設けられ、第２カバーＣ２の側面には、レバー６の位置を示す目盛り６１が設けられている。
【００４１】
〔操作体〕
操作体１は、図２、図３に示すように有底筒状であり、第１カバーＣ１と第２カバーＣ２との境界位置にあって、水栓本体Ｊ１に設けられた吐水切替機構ＴＫに接続される。操作体１は、自身に形成した穴部１３を吐水切替機構ＴＫの突起ＴＫ２に係合させて吐水切替機構ＴＫに連結される。ただし、操作体１が吐水切替機構ＴＫと力の伝達を行うのは、操作体１の裏面のみである。操作体１を押し込むことで操作体１の裏面が吐水切替機構ＴＫの操作軸ＴＫ１の端面を押し込み、操作体１が突出位置から押込位置に移行する。逆に、操作体１を突出位置に戻す際には、操作体１を一旦押し込み、プッシュ・プッシュ機構のリターンばねを効かせて操作軸ＴＫ１を突出させ、さらに操作体１の裏面を押し出す。
【００４２】
操作体１の表面の一部には腕部１２が突出形成されている。この腕部１２は操作体１を押し込む方向に沿って突出形成されており、操作体１の押し込み操作に際して駆動部となって表示体Ｓの第１作用部２１を押圧する。また、腕部１２と並んで、操作体１の表面には位置決め部１４が突出形成されている。この位置決め部１４は、後述するように操作体１が押込位置に押し込まれたとき表示体Ｓの第３作用部２３が当接する部位である。これにより操作体１が押し込まれた状態での表示体Ｓの姿勢が決定される。
【００４３】
〔表示体の基本構成〕
図３に示すように、表示体Ｓは、主に、「原水」や「浄水」等の選択した吐水状態を表示する表示部４と、当該表示部４が回転しつつ姿勢変化するよう水栓本体Ｊ１に支持される軸部２４とを備えている。また、表示体Ｓは、操作体１の腕部１２によって押圧される第１作用部２１と、操作体１が突出位置に戻される際に付勢部材３によって押される第２作用部２２とを有する。因みにここでの付勢部材３は、捩じりばね３ａである。さらに表示体Ｓは、操作体１が押込位置にあるとき、操作体１の位置決め部１４に当接して表示部４の姿勢を決定する第３作用部２３を備えている。
【００４４】
表示部４は、図３に示すように円柱を縦に４等分した形状である。そのうちの円筒面が「浄水」等の表示４０がなされた表示面４１となる。表示面４１を挟んだ二つの側面４２のうち一方からは板状の第１作用部２１が延出し、反対の側面４２からは同様に板状の第３作用部２３が延出している。これらの延出方向は、何れも操作体１の押し込み方向に対して直角方向である。第１作用部２１および第３作用部２３は樹脂材料などを用いて表示体Ｓと一体形成される。
【００４５】
第１作用部２１のさらに外側および第３作用部２３のさらに外側には軸部２４が設けられている。この一対の軸部２４は、水栓本体Ｊ１の支持部Ｊ２に回転可能に支持される。第１作用部２１と軸部２４との間、および第３作用部２３と軸部２４との間には、軸部２４に交差する板状の仕切部２６が設けられている。仕切部２６は、第１作用部２１および第３作用部２３が接続される部位に対して張り出したフランジ状に構成してある。特に、第１作用部２１および第３作用部２３が何れの姿勢に変化した場合でも、第１作用部２１および第３作用部２３との接続部位に対して鉛直方向上方に張り出す形状に構成してある。これにより、仮に表示部４から第１作用部２１あるいは第３作用部２３を伝って水が軸部２４に至るのを確実に防止している。
【００４６】
このように仕切部２６を介して軸部２４を設けることで、表示面４１に対する軸部２４の位置取りが任意となり、表示面４１の回転半径を設定し易くなる。よって、操作体１の押し引き操作のストロークや、第１カバーＣ１の内部空間の広さなどを勘案して表示部４の回転角度等が設定し易くなる。
【００４７】
図３に示すように、双方の仕切部２６のうち第１作用部２１に設けられたものには、軸部２４に挿通された捩じりばね３ａの一端が当接する第２作用部２２が設けられている。捩じりばね３ａの他方の端部は水栓本体Ｊ１の反力受部Ｊ３に当接しており、これにより、操作体１が突出位置に戻される際には、表示体Ｓが捩じりばね３ａによって水栓器具の先端側に転ぶように回転する。
【００４８】
本構成のように、操作体１の押込みに際して腕部１２が第１作用部２１を押圧するものであれば、操作体１に加えた操作力が腕部１２を介して表示体Ｓの第１作用部２１に直接に伝えられる。よって、表示体Ｓを確実に動作させることができる。例えば、表示体Ｓの軸部２４に水垢等の汚れが付着して表示体Ｓの動作が円滑でない場合でも、表示部４の切替動作が確実なものとなる。
【００４９】
また、操作体１の腕部１２が表示体Ｓの第１作用部２１を直に押すことで表示部４の切替動作が機敏になり、使用感に優れた水栓器具を得ることができる。
【００５０】
また、第２作用部２２が設けられた仕切部２６には、表示部４が上記押し込み方向とは反対側に回転するのを所定位置で規制するストッパ２５が設けられている。このストッパ２５は、水栓本体Ｊ１の側に設けられた支持部Ｊ２の一部に当接する。この状態では、表示面４１に記された、例えば「原水」が窓部Ｗから露出する。
【００５１】
図３に示すように、表示部４を正面視する状態で、軸部２４および第１作用部２１、第２作用部２２、第３作用部２３は何れも表示部４の外側に設けられている。このことは表示部４の大型化に寄与する。例えば、表示部４の表示４０を窓部Ｗに順次露出させるためには、表示部４が姿勢変化し得る空間を第１カバーＣ１の内部に確保する必要がある。第１カバーＣ１の大きさには制限があるものの、表示部４は視認性を高めるために極力大きい方が良い。ただし、表示部４を大きくするためには、表示面４１から軸部２４の軸心Ｘまでの回転半径が長くなるうえ、表示部４が姿勢変化する際に表示部４が他物と干渉することも避ける必要がある。そこで、軸部２４や当該軸部２４を支える仕切部２６などを、表示部４の移動軌跡に対して左右にオフセットした位置に設けることとした。本構成にすることで視認性に優れた大型の表示部４を設けることが可能となった。
【００５２】
〔止水機能〕
水栓器具の使用に際しては、窓部Ｗから水が浸入する場合がある。窓部Ｗから浸入した水は軸部２４や第１作用部２１・第３作用部２３等に付着して、水垢などの汚れが蓄積する原因となる。汚れが過度に蓄積すると、表示体Ｓの動作性が損なわれ、あるいは、表示体Ｓの静止姿勢が乱れるなど、表示部４の表示機能が損なわれる。
【００５３】
軸部２４と支持部Ｊ２との摺動状態の良否は、軸部２４における水垢などの汚れ具合に影響される。軸部２４に汚れが堆積すると、軸部２４と支持部Ｊ２との間に抵抗が生じて表示体Ｓの動きが重くなり、また、予定しない位置で表示体Ｓが停止するなど吐水状態の表示機能が損なわれる。
【００５４】
本実施形態では、表示面４１の周縁部を構成する縁部４３を、表示面４１に正対する方向視において、表示面４１の位置変更方向Ｙに直行する方向に対向する、即ち軸部２４の延出方向に対向する一対の縁部である側方縁部４３ａと、表示面４１の位置変更方向Ｙの方向に対向する一対の縁部である上下縁部４３ｂとで構成している。言い換えると、側方縁部４３ａは表示面４１の位置変更方向Ｙの方向に沿って延びており、上下縁部４３ｂは軸部２４の延出方向に延びている。
【００５５】
縁部４３は全体として四角形状をなしているが、側方縁部４３ａの一方または両方、上下縁部４３ｂの一方または両方は各々直線形状である必要はなく、それらの内の一つ以上が円弧などの湾曲形状または屈曲形状であってもよい。因みに、表示体Ｓの位置変更方向Ｙとは、図３に示したように軸部２４の軸心Ｘを中心に表示部４が回転する方向をいう。
【００５６】
軸部２４などに至る水の殆どは上方の窓部Ｗから浸入するから、本実施形態では、軸部２４や第１作用部２１、第３作用部２３などを一対の側方縁部４３ａに対して外側に設けてある。
【００５７】
これにより、浸入した水の伝搬を抑制して、第１作用部２１や軸部２４に水垢などが付かず清浄な状態が維持され、窓部Ｗに対する表示面４１の表示位置が適正に維持される。
【００５８】
さらに、本実施形態では、表示面４１と第１カバーＣ１との隙間寸法についても以下のように設定してある。即ち、図５に示すように、一対の側方縁部４３ａと、これら側方縁部４３ａが対向する第１カバーＣ１の内面との距離Ｌ１が、表示面４１のうち側方縁部４３ａと異なる部位と当該部位が対向する第１カバーＣ１の内面との距離Ｌ２よりも短く設定されている。
【００５９】
これにより、仮に水が窓部Ｗから浸入しようとしても、間隔の狭い当該側方縁部４３ａでは表面張力等の効果によって水の移動が阻止される。よって、第１作用部２１や軸部２４を清浄に維持することができ、表示体Ｓの円滑な動きが良好に維持される。
【００６０】
第１カバーＣ１の内面と表示面４１との距離Ｌ２は、例えば以下のように設定すると良い。即ち、図５に示すように、表示面４１のうち縁部４３ではない部位と第１カバーＣ１の内面との距離をＬ２（ｍｍ）とし、表示面４１のうち第１作用部２１等が設けられている側の縁部４３と第１カバーＣ１の内面との距離をＬ１（ｍｍ）とすると、（Ｌ２−Ｌ１）の値は０.０５〜２がよい。これよりも小さい場合には、隙間寸法を異ならせることによる当該縁部４３での止水機能が発揮され難くなる。また、当該縁部４３以外の部位での隙間寸法を小さくすることで、表示部４の繰り返し動作による部材変形や、表示部４と第１カバーＣ１との相対位置の変化等により、表示面４１が第１カバーＣ１の内面と干渉し易くなる。このような不都合を防止するには、（Ｌ２−Ｌ１）の値は、０.１以上、特に０.２以上とするのがよい。
【００６１】
一方、（Ｌ２−Ｌ１）の値が２よりも大きくなると、表示面４１が窓部Ｗから奥まった位置となって表示面４１の視認性が低下する。ただし、２よりも小さい場合でも視認性をより高めるには１．０以下、特に０．５以下とするのがよい。結果的には、（Ｌ２−Ｌ１）の値は０．３とするのが好ましい。
【００６２】
Ｌ２の値としては、０．２〜１．８がよい。それ未満であれば、繰り返し使用による表示部４の変形や、表示面４１と第１カバーＣ１の内面との相対位置が変化した場合等において表示面４１が傷付き易くなる。よって、さらに０．３以上、特に０．５以上とするのがよい。また、Ｌ２の値が過大となれば、表示面４１が窓部Ｗより奥まった位置となって表示の視認性が低下する。よって、Ｌ２の値は１．５以下、特に１．０以下とするのがよい。結果的には０．８程度とするのが好ましい。
【００６３】
Ｌ１の値としては、０．１〜１．５がよい。それ未満の場合、表示部４の経時変形等によって当該縁部４３と第１カバーＣ１の内面とが干渉し易くなり、表示部４の動作が損なわれることがある。よって、さらに０．２以上、特に０．３以上とするのがよい。一方、Ｌ１の値が大きくなると、隙間を狭くすることによる止水機能が発揮され難くなる。よって、さらに１．０以下、特に０．６以下とするのがよい。結果的には０．５程度とするのが好ましい。
【００６４】
尚、窓部Ｗから第１カバーＣ１の内部に浸入する水が、第１作用部２１や軸部２４に到達するのを防止するために、窓部Ｗの形状にも特徴を持たせている。本実施形態では、窓部Ｗが四つの開口縁部Ｗ１を備えている。本構成においては、窓部Ｗは水栓本体Ｊ１の表面に形成されているが、ユーザーが視認し易いように法線方向がやや上向きになるように傾斜して設けている。四つの開口縁部Ｗ１のうち表示部４の位置変更方向Ｙに交差しつつ延出する一対の交差開口縁部Ｗ１０であって、特に下方に位置する交差開口縁部Ｗ１０につき、中央側ほど位置変更方向Ｙに沿って外側に広がるように構成してある。
【００６５】
本構成にすることで、例えば、表示面４１から水栓本体Ｊ１の内部に水が浸入する場合に、浸入位置を当該下側の交差開口縁部Ｗ１０の中央部に誘導することができる。つまり、窓部Ｗは水栓本体Ｊ１の表面に形成されているが、ユーザーが視認し易いように法線方向がやや上向きになるように傾斜して設けられることが多い。その場合、当該下側の交差開口縁部Ｗ１０の中央位置が鉛直方向において最下部となる。この位置から水が水栓本体Ｊ１の内部に浸入したとしても、その位置は第１作用部２１や軸部２４から離れた位置である。よって、浸入した水が第１作用部２１や軸部２４に付着することが防止され、表示体Ｓの円滑な動きが長期に亘って維持される。
【００６６】
〔表示体の第３作用部〕
本実施形態の水栓器具では、「原水」や「浄水」を示す表示部４の表示姿勢を確実なものにするために表示体Ｓには第３作用部２３を備えている。駆動部である腕部１２が第１作用部２１を押し込み、表示部４が所定の姿勢に変更されたとき、表示部４の側面４２から延設された第３作用部２３が操作体１に設けられた位置決め部１４と当接する。これにより、表示体Ｓが捩じりばね３ａにより戻されるのを阻止し、窓部Ｗには例えば「浄水」が安定的に表示される。
【００６７】
図３および図４に示すように、腕部１２が第１作用部２１を押すことで表示部４を回転駆動し、表示部４の回転動作の後半で位置決め部１４に第３作用部２３が当接して表示部４の戻り動作が阻止される。このうち腕部１２を用いた駆動機構は操作体１の押し込み量を極力小さくしながら表示部４を大きく回転動作させる。一方の位置決めに係る機構は、表示部４の戻りを確実に阻止する。このように各機構部の目的が異なるため、例えば腕部１２が第１作用部２１を押す位置と軸部２４の軸心Ｘとの距離Ｈ１については小さく設定して、腕部１２のストロークに対して表示部４の回転角度が大きくなるようにする。ただしこの場合、腕部１２と第１作用部２１との間に作用する押圧力は大きくなる。
【００６８】
一方、表示部４の戻りを確実に阻止するには、例えば位置決め部１４と第３作用部２３とが当接する位置と軸心Ｘとの距離Ｈ２を大きくして、位置決め部１４と第３作用部２３との当接力を小さくするとよい。さらに、軸心Ｘから第３作用部２３までの回転半径が大きくなれば、位置決め部１４あるいは第３作用部２３の何れかにある程度の摩耗が生じても、その変化量は表示部４の回転軌跡のうちのごく僅かに過ぎず、表示部４の固定姿勢はほとんど変化しない。よって、窓部Ｗに対する表示部４の位置が常に一定となり表示機能が確実に発揮される。
【００６９】
このように、表示部４の駆動に係る機構と位置決めに係る機構とを別に設けることで、表示部４の押し込み機能と位置決め機能とを確実に発揮させることができる。
【００７０】
〔表示体の動作態様〕
図４に、操作体１および表示体Ｓの動作態様を示す。操作体１の押込みに際して第１作用部２１と第３作用部２３とがどのように機能するかを図４（ａ）乃至（ｄ）に示す。
【００７１】
図４（ａ）は、腕部１２が第１作用部２１に当接した瞬間の状態を示す。この状態では、仕切部２６のストッパ２５が水栓本体Ｊ１の支持部Ｊ２にまだ当接している。第１作用部２１のうち腕部１２が当接する位置に着目すると、当該当接位置と軸部２４の軸心Ｘとを結ぶ半径の延出方向は、腕部１２の押し込み方向に対して略直交している。つまり、この姿勢で腕部１２が押し込まれると、腕部１２の押し込み当初においては、第１作用部２１の当接位置は第１作用部２１の回転軌跡の接線方向に沿って移動し、第１作用部２１の移動量と腕部１２の押し込み量とは略等しくなる。つまり、腕部１２の押し込み量に対して第１作用部２１の移動量が最大となるから、操作体１の押し込み当初から表示部４が機敏に回転することとなる。よって、操作感覚に優れた水栓器具とすることができる。
【００７２】
また、操作体１の押し込み当初において、腕部１２が第１作用部２１に押し込み力を付与する位置と軸心Ｘとの距離はＨ１で示ある。この距離Ｈ１は図４（ｄ）に示すように、第３作用部２３と位置決め部１４との接点と軸心Ｘとの距離Ｈ２よりも短く構成してある。このように第１作用部２１のうち腕部１２が押し込む位置の回転アームを短くすることで、腕部１２の押し込み量が少なくても表示部４を大きな角度に亘って回転させることができる。回転アームが短くなれば腕部１２による押し込み力が大きくなるが、この押し込み力は操作者の僅かの負担となるだけで特段問題とはならない。
【００７３】
さらに、本実施形態の腕部１２と第１作用部２１とにあっては、互いの摩耗が少なくなるように構成してある。特に腕部１２にあっては、腕部１２の先端を曲面状に面取りしてある。図４（ａ）の状態から腕部１２が押し込まれると第１作用部２１が次第に傾斜し、腕部１２の先端の面取りにより腕部１２においても第１作用部２１においても互いの当接位置が順次変化する。これにより、両部材の摩耗が低減され、操作体１の押し込み操作に対する表示体Ｓの機敏な追随動作が長期に亘って維持されるようにしてある。
【００７４】
尚、図４（ａ）の状態では、第３作用部２３と操作体１の位置決め部１４とはまだ当接していない。
【００７５】
図４（ｂ）は、腕部１２が第１作用部２１を予定ストロークの中間位置まで押し込んだ状態である。腕部１２の押込みに応じて第１作用部２１が傾斜角を深めている。このとき、捩じりばね３ａの変形量が増大するため操作体１の押し込みに必要な力も増大する。ただし、軸心Ｘから腕部１２と第１作用部２１との当接位置までの回転アームも徐々に長くなる。よって、両効果が相殺されて操作体１の押し込み量はほぼ一定に維持される。
【００７６】
尚、このように当接位置と軸心Ｘとの距離が大きくなり、第１作用部２１が傾斜することで、操作体１の押込み量に対する表示体Ｓの回転角度は次第に少なくなる。このように、本実施形態の表示部４は、操作体１の押し込み当初は素早く回転し、押込みの終盤に近付くほど回転の連動度合いが少なくなって静止状態に至る。このような表示部４の動作態様は、操作体１の操作感を高品質なものにしている。
【００７７】
図４（ｂ）の状態では、第１作用部２１がより傾斜した姿勢となるため、腕部１２の先端が図中の上方に逃げて曲がり変形し易くなる。しかし、水栓本体Ｊ１に設けられた規制部Ｊ４により、腕部１２の曲がり変形は一定角度に留められる。このため、腕部１２を細く、あるいは、薄く構成することができ、吐水種類の切替機構をコンパクトなものにすることができる。
【００７８】
尚、この状態でも、第３作用部２３と操作体１の位置決め部１４とはまだ当接していない。
【００７９】
図４（ｃ）は、腕部１２が押込みの終盤位置に差し掛かり、第３作用部２３が位置決め部１４のリフト面１５に当接した状態である。リフト面１５は、第３作用部２３をさらに持ち上げ易くするように傾斜させてある。これ以降の状態では、表示体Ｓのうち操作体１と当接するのは原則として第３作用部２３のみとなる。
【００８０】
図４（ｄ）は、腕部１２の押込みを終了し、第３作用部２３が位置決め部１４の位置決定面１６に乗り上げた状態である。図４（ｃ）の状態から図４（ｄ）の状態までは、操作体１の押し込み操作によってリフト面１５が第３作用部２３を持ち上げ、表示体Ｓがさらに回転するため腕部１２は第１作用部２１から離間している。
【００８１】
このとき、第３作用部２３と位置決定面１６との間に生じる当接力は捩じりばね３ａの付勢力に基づいて決定される。ただし、図４（ｄ）に示したように、第３作用部２３と位置決定面１６との当接位置と軸心Ｘとの距離Ｈ２は、図４（ａ）に示したＨ１よりも長く設定されている。そのため、上記当接力は小さな値で済む。この結果、第３作用部２３と位置決定面１６との摩耗を低減し、操作体１の押込位置での表示体Ｓの静止姿勢を長期に亘って安定化することができる。
【００８２】
また、操作体１の押し込み位置の終盤では、プッシュ・プッシュ機構の特性から、操作体１が押し込み方向に沿って幾分動作することがある。例えば、操作体１を再び突出位置に戻すためには、操作体１を僅かだけ押し込む必要がある。しかし、本実施形態では、第３作用部２３が乗り上げて静止する位置決定面１６を、操作体１の押し込み時の移動軌跡と平行にしてある。よって、操作体１が微動作しても表示部４の姿勢は変化せず、表示部４の表示機能が安定して高品質な水栓器具を得ることができる。
【００８３】
〔材質〕
表示体Ｓの材質は例えばポリアセタール樹脂（ＰＯＭ材）等で構成することができる。表示部４の第１作用部２１あるいは第３作用部２３は操作体１と摺動する。また、軸部２４は水栓本体Ｊ１の支持部Ｊ２において摺接するから、摩耗に強い材料を用いるのが好ましい。
【００８４】
また、表示体Ｓは例えば透明のポリカーボネート材等の樹脂部材等で構成してもよい。その場合に、表示面４１の裏側に、「原水」「浄水」などの切り替え表示を印刷するとよい。本構成であれば、表示面４１が第１カバーＣ１の裏面に擦れた場合でも、表示が剥がれるのを防止することができる。
【００８５】
さらに、製造の容易性や耐久性を確保できるものであれば適宜の材料選択が可能である。例えば、操作体１の材質としては、各種金属・ポリアセタール樹脂（ＰＯＭ）・ＡＢＳ樹脂等を使用する事ができ、コスト・外観・成形性の観点でメッキグレードＡＢＳ樹脂が望ましい。また、表示体Ｓの材質としては、各種金属・ＰＯＭ・ＡＢＳ樹脂等を使用する事ができ、コスト・外観・成形性の観点でＡＢＳ樹脂が望まく、強度・耐久性の観点ではＰＯＭが望ましい。
【００８６】
〔別実施形態〕
図６に示すように、表示体Ｓに設ける第１作用部２１あるいは第３作用部２３は、軸部２４とは別に構成することもできる。ただし、これら三つの部位は、表示部４の側面４２に対して外側に設けてある。表示部４の回転半径を確保するために側面４２の下部から脚部２７を延出し、その先端に軸部２４を設けてある。また、第１作用部２１および第３作用部２３は脚部２７とは別に表示部４の側面４２から左右に突出させてある。
【００８７】
本構成であれば、腕部１２が第１作用部２１を押す際に、第１作用部２１が撓む結果、軸部２４と表示面４１との相対位置関係が大きく変化するという不都合が生じなくなる。よって、窓部Ｗに対する表示面４１の位置が常に正確なものとなる。
【００８８】
尚、捩じりばね３ａを受けるばね受部２８および水栓本体Ｊ１に対するストッパ２５は第１作用部２１の端部に設けておくとよい。この場合、捩じりばね３ａの巻き部は、水栓本体Ｊ１に適宜形成した図外の棒状の突起部等に挿通させるものとする。
【００８９】
その他に、捩じりばね３ａを軸部２４に挿通させる場合には、表示体Ｓの側のばね受部として、例えば、第１作用部２１の下面などを利用することができる。
【００９０】
尚、上記実施形態とは異なり、第３作用部２３を設けずに第１作用部２１のみで表示体Ｓの表示切替を行う場合が想定される。その際には、操作体１を押し込んだ状態での表示体Ｓの静止姿勢は腕部１２と第１作用部２１との当接状態によって決定される。その場合、表示体Ｓの姿勢を安定化させるために腕部１２のうち第１作用部２１と当接する面を平面とし、かつ、この平面を操作体１の押し込み方向と平行に構成しておく。これにより、操作体１が押し込み方向に沿って所定量だけ動いた場合でも表示部４の姿勢が変化するのを防止することができる。
【００９１】
上記実施形態では、第１作用部２１と第３作用部２３とを表示部４に対して反対の位置に設けたが、その場合、操作体１が真っ直ぐにではなく左右何れかに首を振った状態で押し込まれると、腕部１２と第１作用部２１との当接状態から位置決め部１４と第３作用部２３との当接状態への移行のタイミングが変化して表示体Ｓの動きが不連続になる恐れがある。
【００９２】
そこで、図示は省略するが、第１作用部２１と第３作用部２３とを表示部４に対して同じ側に設けても良い。その場合、例えば、表示部４の側面４２に第１作用部２１を突出形成し、当該第１作用部２１の先端にさらに第３作用部２３を突出形成する。このように第１作用部２１と第３作用部２３とを近接配置することで、操作体１においても第１作用部２１に対する腕部１２と第３作用部２３に対する位置決め部１４とが近接配置される。よって、操作体１の押し込み姿勢が乱れた場合でも表示部４の駆動操作と位置固定操作を円滑に行うことができる。
【００９３】
窓部Ｗにおいて止水機能を発揮させる別の実施形態としては、図示は省略するが、例えば表示面４１の縁部４３のうち第１作用部２１あるいは第３作用部２３が形成されている縁部４３に沿って第１カバーＣ１の内面に向けて突出するリブを設け、第１カバーＣ１の内面との隙間を狭くして止水機能を高めることができる。
【００９４】
また、表示面４１のうち当該縁部４３に沿う状態に表示面４１から引退した溝部を設けてもよい。これにより、窓部Ｗから浸入しようとする水を保持して軸部２４等への伝搬を防止することができる。
【００９５】
さらに、同様の溝部を設けると共に当該溝部の底に複数の排水口を設けてもよいし、これら各止水部の構成を組み合わせて表示部４に形成しても良い。
【産業上の利用可能性】
【００９６】
本発明の水栓器具は、吐水を例えば原水や浄水に切り替える際に選択した吐水が水栓本体の窓部に切替表示される流し台の水栓器具などに適用可能である。
【符号の説明】
【００９７】
１    操作体
１２  腕部
１４  位置決め部
１６  位置決定面
２１  第１作用部
２２  第２作用部
２３  第３作用部
２４  軸部
４    表示部
Ｊ１  水栓本体
Ｊ４  規制部
Ｓ    表示体
Ｗ    窓部
【図１】
2018172871.tif 000003
【図２】
2018172871.tif 000004
【図３】
2018172871.tif 000005
【図４】
2018172871.tif 000006
【図５】
2018172871.tif 000007
【図６】
2018172871.tif 000008